(57)【要約】　　　（修正有）【課題】椅子の背もたれ前後移動調整装置の提供。【解決手段】椅子のシート１３底部に、ワッシャが組み合わされたボルト１８０により複数の異なる位置決め溝４２を具えたＬ形位置決め板４０が固定され、支持棒１６が方形スライド板３０に固定され、別に固定座１７の両側が内向きに折り曲げられてＵ形ガイド溝１９が設けられ、スライド板が固定座のＵ形ガイド溝内にスライド可能に組み合わされ、並びにスライド板の係止手段がシート底部の位置決め板の異なる位置決め溝に係止されることにより、背もたれの前後移動調整機能を達成する。【選択図】　　　　図２
0003097058.tif 000002
【実用新案登録請求の範囲】
【請求項１】
ローラを具えた足フレームの中心に直立する支柱が設けられ、該支柱にシートが支持され、シートに別に支持棒により背もたれが固定され、並びに支柱の上端に操作レバーが設けられてシートの高度調整に供され、支柱の上端に固定座が設けられ、該固定座の四隅に貫通孔が設けられ、ワッシャが組み合わされたボルトで固定座がシート底部に螺子止めされ、背もたれの支持棒が方形のスライド板に固定され、別に固定座の両側がそれぞれ内向きに折り曲げられてＵ形ガイド溝が形成された椅子の背もたれ前後移動調整装置において、
シートの底部に、ワッシャが組み合わされた複数のボルトにより複数の異なる位置決め溝を具えたＬ形位置決め板が固定され、背もたれの支持棒がＵ形を呈し、スライド板が固定座のＵ形ガイド溝内にスライド可能に組み合わされ、並びにスライド板の上に係止手段が組み合わされ、該係止手段の嵌合板がシート底部のＬ形位置決め板の異なる位置決め溝を係止することにより、背もたれの前後移動調整機能が達成されることを特徴とする、椅子の背もたれ前後移動調整装置。
【請求項２】
請求項１記載の椅子の背もたれ前後移動調整装置において、スライド板の後端に支持棒が固定され、該支持棒に上向きに背もたれが固定され、スライド板の両側にカバーが嵌合され、中間の板面にネジ孔と貫通孔を具えた直立板が形成され、
係止手段は長い板体とされ、中間部分に長い貫通孔と貫通孔を具えた枢接板が形成され、前端が上向きに折り曲げられて嵌合板とされ、後端が下向きに折り曲げられて操作板が連接され、
ピンが係止手段の枢接板の貫通孔とスライド板の直立板の貫通孔を通った後、留め具で係止され、係止手段がスライド板底部に枢接され、さらにボルトが係止手段の長い貫通孔とワッシャ、バネに通された後にスライド板のネジ孔にねじ込まれ、ボルトにより係止手段の揺動の下限が制限され、並びにバネの弾性作用により係止手段が圧迫され嵌合板の係止機能が達成されることを特徴とする、椅子の背もたれ前後移動調整装置。
【請求項３】
請求項２記載の椅子の背もたれ前後移動調整装置において、スライド板が固定座のＵ形ガイド溝に嵌合された後、固定座前端の適当な部分にピンが凸設されてスライド板のカバーをブロックし、スライド板の離脱が防止されたことを特徴とする、椅子の背もたれ前後移動調整装置。
【考案の詳細な説明】
【０００１】
【考案の属する技術分野】
本考案は一種の椅子の背もたれ前後移動調整装置に係り、特に、椅子のシート底部にＬ形位置決め板が設けられ、支持棒が方形のスライド板に固定され、スライド板が固定座に嵌合され、並びにスライド板に設けられた係止手段の嵌合板がシート底部のＬ形位置決め板の位置決め溝を係止し、背もたれの前後移動調整機能を達成する、椅子の背もたれ前後移動調整装置に関する。
【０００２】
【従来の技術】
一般に椅子は複数のローラを具えた足フレームの中心に支柱が設けられて方形のシートを支持し、シートに別に支持棒で背もたれが固定され、並びに支柱の上端に操作レバーが設けられてシートの高度調整に供され、異なる使用者の使用時に異なる高度に調整できる。しかし、背もたれは支持棒により支持固定され、異なる使用者に応じて適当な調整を行うことができず、これが使用上、極めて大きな欠点である。
【０００３】
【考案が解決しようとする課題】
本考案の主要な目的は、一種の椅子の背もたれ前後移動調整装置を提供することにあり、それは、シート底部に複数の異なる位置決め溝を具えたＬ形位置決め板が設けられ、別に固定座の両側がそれぞれ内向きに折り曲げられてＵ形ガイド溝が形成され、スライド板が固定座のＵ形ガイド溝に嵌合されてスライド可能とされ、スライド板が支持棒に固定され、並びにスライド板の係止手段の嵌合板がシート底部の位置決め板の異なる位置決め溝に係止される技術手段により、背もたれの前後移動調整機能を達成したものとする。
【０００４】
本考案の次の目的は、一種の椅子の背もたれ前後移動調整装置を提供することにあり、それは、スライド板に固定された支持棒に上向きに背もたれが固定され、スライド板の中間の板面にネジ孔と貫通孔を具えた直立板が形成され、別に係止手段の中間に長い貫通孔と貫通孔を具えた枢接板が形成され、係止手段の前端が折り曲げられて嵌合板が形成され、後端が折り曲げられて操作板が形成される技術手段により、ピンで係止手段がスライド板の底部に枢接され、スライド板の移動調子機能が達成されるものとする。
【０００５】
本考案のさらに別の目的は、一種の椅子の背もたれ前後移動調整装置を提供することにあり、それは、ボルトがワッシャに組み合わされて係止手段とバネを貫通した後にスライド板にねじ込まれる技術手段により、ボルトにより係止手段の揺動の下限を制限し、並びにバネの弾性作用により係止手段の係止機能を達成するものとする。
【０００６】
本考案のもう一つの目的は、一種の椅子の背もたれ前後移動調整装置を提供することにあり、それは、スライド板が固定座に嵌合された後、固定座前端の適当な部分にピンが凸設される技術手段により、スライド板がブロックされて離脱防止されるものとする。
【０００７】
【課題を解決するための手段】
請求項１の考案は、ローラを具えた足フレームの中心に直立する支柱が設けられ、該支柱にシートが支持され、シートに別に支持棒により背もたれが固定され、並びに支柱の上端に操作レバーが設けられてシートの高度調整に供され、支柱の上端に固定座が設けられ、該固定座の四隅に貫通孔が設けられ、ワッシャが組み合わされたボルトで固定座がシート底部に螺子止めされ、背もたれの支持棒が方形のスライド板に固定され、別に固定座の両側がそれぞれ内向きに折り曲げられてＵ形ガイド溝が形成された椅子の背もたれ前後移動調整装置において、
シートの底部に、ワッシャが組み合わされた複数のボルトにより複数の異なる位置決め溝を具えたＬ形位置決め板が固定され、背もたれの支持棒がＵ形を呈し、スライド板が固定座のＵ形ガイド溝内にスライド可能に組み合わされ、並びにスライド板の上に係止手段が組み合わされ、該係止手段の嵌合板がシート底部のＬ形位置決め板の異なる位置決め溝を係止することにより、背もたれの前後移動調整機能が達成されることを特徴とする、椅子の背もたれ前後移動調整装置としている。
請求項２の考案は、請求項１記載の椅子の背もたれ前後移動調整装置において、スライド板の後端に支持棒が固定され、該支持棒に上向きに背もたれが固定され、スライド板の両側にカバーが嵌合され、中間の板面にネジ孔と貫通孔を具えた直立板が形成され、
係止手段は長い板体とされ、中間部分に長い貫通孔と貫通孔を具えた枢接板が形成され、前端が上向きに折り曲げられて嵌合板とされ、後端が下向きに折り曲げられて操作板が連接され、
ピンが係止手段の枢接板の貫通孔とスライド板の直立板の貫通孔を通った後、留め具で係止され、係止手段がスライド板底部に枢接され、さらにボルトが係止手段の長い貫通孔とワッシャ、バネに通された後にスライド板のネジ孔にねじ込まれ、ボルトにより係止手段の揺動の下限が制限され、並びにバネの弾性作用により係止手段が圧迫され嵌合板の係止機能が達成されることを特徴とする、椅子の背もたれ前後移動調整装置としている。
請求項３の考案は、請求項２記載の椅子の背もたれ前後移動調整装置において、スライド板が固定座のＵ形ガイド溝に嵌合された後、固定座前端の適当な部分にピンが凸設されてスライド板のカバーをブロックし、スライド板の離脱が防止されたことを特徴とする、椅子の背もたれ前後移動調整装置としている。
【０００８】
【考案の実施の形態】
図１を参照されたい。本考案の椅子１０はローラを具えた足フレーム１１の中心に直立する支柱１２が設けられ、該支柱１２にシート１３が支持され、シート１３に別に支持棒１６により背もたれ１５が固定され、並びに支柱１２の上端に操作レバー１４が設けられてシート１３の高度調整に供される。続いて図２を参照されたい。支柱１２の上端には固定座１７が設けられ、該固定座１７の四隅に貫通孔１８が設けられ、ボルト１８０にワッシャが組み合わされてシート１３底部に螺子止めされ、これにより支柱１２の上にシート１３が取り付けられる。本考案の特徴は以下のとおりである。
【０００９】
シート１３の底部に、ワッシャが組み合わされた複数のボルト４３により複数の異なる位置決め溝４２を具えたＬ形位置決め板４０が固定され、背もたれ１５の支持棒１６が方形のスライド板３０に固定され、別に固定座１７の両側がそれぞれ内向きに折り曲げられてＵ形ガイド溝１９が形成され、スライド板３０が固定座１７のＵ形ガイド溝１９内にスライド可能に組み合わされ、並びにスライド板３０の上に係止手段５０の嵌合板５１が組み合わされて、該嵌合板５１がシート１３底部のＬ形位置決め板４０の異なる位置決め溝４２を係止することにより、背もたれ１５の前後移動調整機能が達成される。
【００１０】
さらに図３、４も参照されたい。スライド板３０は後端に下向きに固定板３４が固定されて支持棒１６の固定に供され、さらに該支持棒１６に上向きに背もたれ１５が固定されている。スライド板３０の両側にはカバー３２が嵌合され、中間の板面にはネジ孔３３と貫通孔を具えた直立板３１が形成されている。
【００１１】
係止手段５０は長い板体とされ、中間部分に長い貫通孔５４と貫通孔５３を具えた枢接板５２が形成され、前端が上向きに折り曲げられて嵌合板５１とされ、後端が下向きに折り曲げられて操作板５５が連接されている。
【００１２】
ピン５６が係止手段５０の枢接板５２の貫通孔５３とスライド板３０の直立板３１の貫通孔を通った後、留め具５７で係止され、係止手段５０がスライド板３０底部に枢接される。さらにボルト４３が係止手段５０の長い貫通孔５４とワッシャ３６、バネ３７に通された後にスライド板３０のネジ孔３３にねじ込まれ、ボルト３５により係止手段の揺動の下限が制限され、並びにバネ３７の弾性作用により係止手段５０が圧迫され嵌合板の嵌め止め機能が達成される。
【００１３】
図５、６に示されるように、本考案を使用する時は、操作板５５を回せば係止手段５０がピン５６を中心として揺動し、これによりバネ３７が圧縮され、並びに嵌合板５１がＬ形位置決め板４０の位置決め溝４２より離脱し、これによりスライド板３０全体が固定座１７のＵ形ガイド溝１９の案内によりスライド可能とされ、適当な位置とした後に操作板５５を開放すれば、係止手段５０がバネ３７の作用を受けて回復揺動し、嵌合板５１がＬ形位置決め板４０の異なる位置決め溝４２に嵌入し、スライド板３０の移動調整が達成され、これにより背もたれ１５の前後移動調整機能が達成される。
【００１４】
また、図２に示されるように、スライド板３０の固定座１７のＵ形ガイド溝１９からの離脱を防止するため、両者嵌合後の固定座１７前端の適当な部分にピン１９０が凸設され、これによりスライド板３０のカバー３２がブロックされて、スライド板３０の離脱が防止される。
【００１５】
【考案の効果】
総合すると、本考案は固定座１７とスライド板３０の嵌合と係止手段５０とＬ形位置決め板４０の嵌め止めの技術手段により、椅子の背もたれ１５を調整する時に前後移動調整の操作を敏捷に行える進歩的機能を達成し、実用新案登録の要件を具備している。なお、本考案に基づきなしうる細部の修飾或いは改変は、いずれも本考案の請求範囲に属するものとする。
【図面の簡単な説明】
【図１】本考案の斜視図である。
【図２】本考案の分解斜視図である。
【図３】本考案のスライド板の背面斜視図である。
【図４】本考案のスライド板の分解斜視図である。
【図５】本考案の動作表示図である。
【図６】本考案の動作表示図である。
【符号の説明】
１０　椅子　　　　　１１　足フレーム
１２　支柱　　　　　１３　シート
１４　操作レバー　　１５　背もたれ
１６　支持棒　　　　１７　固定座
１８　貫通孔　　　　１８０　ボルト
１９　Ｕ形ガイド溝　１９０　ピン
３０　スライド板　　３１　直立板
３２　カバー　　　　３３　ネジ孔
３４　固定板　　　　３５　ボルト
３６　ワッシャ　　　３７　バネ
４０　位置決め板　　４２　位置決め溝
４３　ボルト
５０　係止手段　　　５１　嵌合板
５２　枢接板　　　　５３　貫通孔
５４　長い貫通孔　　５５　操作板
５６　ピン　　　　　５７　留め具
【図１】
0003097058.tif 000003
【図２】
0003097058.tif 000004
【図３】
0003097058.tif 000005
【図４】
0003097058.tif 000006
【図５】
0003097058.tif 000007
【図６】
0003097058.tif 000008